(57)【要約】      （修正有）【課題】より速く温めることができ、しかも、より低コストで導入できる床暖房ユニットを提供する。【解決手段】床暖房ユニット１は、天板部がアルミニウム材で形成された矩形板状をなす本体ケース２を備えている。本体ケース２の内部空間には、天板部の下面を覆う矩形板状の断熱材４と、天板部と断熱材４との間において天板部を覆うように配設され、内部にカーボン発熱線５２が張り巡らされた矩形板状をなす発熱シート５と、カーボン発熱線５２に接続され、カーボン発熱線５２に電流を流して発熱シート５の温度を調節可能な制御基板６２と、制御基板６２に接続され、発熱シート５の温度を設定する操作盤６３とが収容されている。使用者が足を載置可能な床面材は、天板部上面を覆うように天板部に取り付けられている。【選択図】図２
0003231712.tif 000002
【実用新案登録請求の範囲】
【請求項１】
フロア又は地面に載置可能に構成され、使用者が載せる足を加温可能な床暖房ユニットであって、
内部空間を有し、少なくとも天板部がアルミニウム材で形成された矩形板状をなす本体ケースと、
前記内部空間に収容され、前記天板部の下面を覆う矩形板状の断熱材と、
前記本体ケースの天板部上面を覆うように取り付けられ、上面に使用者が足を載置可能な矩形板状の床面材と、
前記天板部と前記断熱材との間において前記天板部を覆うように配設され、内部にカーボン発熱線が張り巡らされた矩形板状をなす発熱シートと、
前記カーボン発熱線に接続され、当該カーボン発熱線に電流を流して前記発熱シートの温度を調節可能な制御基板と、
該制御基板に接続され、前記発熱シートの温度を設定する操作盤とを備えていることを特徴とする床暖房ユニット。
【請求項２】
請求項１に記載の床暖房ユニットにおいて、
前記床面材の表面は、凹凸面であることを特徴とする床暖房ユニット。
【請求項３】
請求項２に記載の床暖房ユニットにおいて、
前記床面材の表面には、大理石模様が施されていることを特徴とする床暖房ユニット。
【考案の詳細な説明】
【技術分野】
【０００１】
本考案は、載置した使用者の足を加温する床暖房ユニットに関する。
【背景技術】
【０００２】
従来より、例えば、特許文献１に開示されている床暖房ユニットは、１人又は少人数の足元等の所定の領域を温めるものであり、フロア又は地面に載置可能に構成された矩形板状のユニット本体を備えている。該ユニット本体は、フロア又は地面との接触面となる木材からなるベース板と、該ベース板の上側に重ねられた板状をなす断熱材と、該断熱材の上側に重ねられた板状をなす床面材とを備え、断熱材と床面材との間には、ユニット本体を加温するフィルム状をなすＰＴＣヒーターが配設されている。
【先行技術文献】
【特許文献】
【０００３】
【特許文献１】実用新案登録第３２２３０６８号
【考案の概要】
【考案が解決しようとする課題】
【０００４】
ところで、特許文献１の床暖房ユニットは、ＰＴＣヒーターによりユニット本体を加温しているので、当該ユニット本体が昇温されて床面材が設定温度に到達するまでに使用者の待機する時間がある程度長くなってしまい、さらには、床暖房ユニットの製造原価が高くなってしまうという問題があった。
【０００５】
本考案は、懸かる点に鑑みてなされたものであり、その目的とするところは、より速く温めることができ、しかも、より低コストで導入できる床暖房ユニットを提供することにある。
【課題を解決するための手段】
【０００６】
上記の目的を達成するため、本考案では、床暖房ユニットの熱源と、当該熱源を収容する本体ケースの材質とにそれぞれ工夫を凝らしたことを特徴とする。
【０００７】
具体的には、フロア又は地面に載置可能に構成され、使用者が載せる足を加温可能な床暖房ユニットを対象とし、次のような対策を講じた。
【０００８】
すなわち、第１の考案では、内部空間を有し、少なくとも天板部がアルミニウム材で形成された矩形板状をなす本体ケースと、前記内部空間に収容され、前記天板部の下面を覆う矩形板状の断熱材と、前記本体ケースの天板部上面を覆うように取り付けられ、上面に使用者が足を載置可能な矩形板状の床面材と、前記天板部と前記断熱材との間において前記天板部を覆うように配設され、内部にカーボン発熱線が張り巡らされた矩形板状をなす発熱シートと、前記カーボン発熱線に接続され、当該カーボン発熱線に電流を流して前記発熱シートの温度を調節可能な制御基板と、該制御基板に接続され、前記発熱シートの温度を設定する操作盤とを備えていることを特徴とする。
【０００９】
第２の考案では、第１の考案において、前記床面材の表面は、凹凸面であることを特徴とする。
【００１０】
第３の考案では、第２の考案において、前記床面材の表面には、大理石模様が施されていることを特徴とする。
【考案の効果】
【００１１】
第１の考案では、床暖房ユニットをカーボン発熱線が張り巡らされた発熱シートにより発熱させているので、特許文献１の如きＰＴＣヒーターを用いた床暖房ユニットと比較して熱源近傍の温度が速やかに上昇する。また、床暖房ユニットは、断熱材、発熱シート、天板部及び床面材の順に底部から配置された構成となっており、さらには、天板部がアルミニウム材で形成されているので、発熱シートの熱が当該発熱シートの下方に配置された断熱材の断熱作用によって上方に配置された天板部に効率よく伝わるとともにアルミニウム材の高い熱伝導率によって天板部の内部を速やかに移動して拡散した後、当該天板部の上方に位置する床面材へと到達するようになる。すなわち、第１の考案に係る床暖房ユニットは、従来の床暖房ユニットよりも熱源近傍の温度が速やかに上昇することに加え、床面材がその下面全体から効率的に温められるようになるので、床暖房ユニット全体を速く温めることができる。
【００１２】
また、第１の考案では、床暖房ユニットの熱源としてＰＴＣヒーターよりも安価なカーボン発熱線を用いているため、従来のＰＴＣヒーターを用いた床暖房ユニットよりも製造原価を抑えやすい。その結果、より低コストで床暖房ユニットを導入することができる。
【００１３】
第２の考案では、床面材の表面が滑り難くなるので、床面材表面に載せる使用者の足や敷物が床面材に対して位置ずれしにくくなり、使用感の良いものとなる。
【００１４】
第３の考案では、外観に天然素材感や高級感がでるので、床暖房ユニット全体の意匠性を高めることができる。
【図面の簡単な説明】
【００１５】
【図１】本考案の実施形態に係る床暖房ユニットの斜視図である。
【図２】図１の床暖房ユニットの内部構造が示された平面図である。
【図３】図２の領域Ｒに係るIII−III線断面図である。
【考案を実施するための形態】
【００１６】
以下、本考案の実施形態を図面に基づいて詳細に説明する。尚、以下の好ましい実施形態の説明は、本質的に例示に過ぎない。
【００１７】
図１は、本考案の実施形態に係る床暖房ユニット１を示す。該床暖房ユニット１は、フロア又は地面に載置可能な矩形盤状の小型の暖房装置であり、使用者が載せる足を加温可能になっている。
【００１８】
床暖房ユニット１は、図２及び図３に示すように、本体ケース２、床面材３、断熱材４、発熱シート５、制御系６及び電源コード７を備えている。
【００１９】
本体ケース２は、上方に開口するアルミニウム材で形成された矩形板状の収容体２１と、アルミニウム材で形成された厚みの薄い矩形板状をなす天板部２２とを備え、該天板部２２は、収容体２１の開口部分を塞いでいる。
【００２０】
収容体２１の長手方向一端寄りの内部には、幅方向に平行に延びる２つの仕切り壁２３が設けられている。
【００２１】
該両仕切り壁２３は、収容体２１の内部空間を長手方向の他端側から順に第１区画２１ａ、第２区画２１ｂ及び第３区画２１ｃに区分けするとともに、天板部２２に下方から当接して当該天板部２２を支えるようになっている。
【００２２】
また、収容体２１の内部には、該収容体２１に対して天板部２２をネジ止めするためのネジ孔２４ａを有する複数の柱状部２４が適所に設けられ、該柱状部２４は、仕切り壁２３と同様に、天板部２２に下方から当接して当該天板部２２を支えるようになっている。
【００２３】
床面材３は、大人１人が両足を載置可能な大きさで且つ厚さ１ｍｍ程度の矩形状をなすベニヤ板で形成され、図１に示すように、天板部２２の上面略全域を覆うように取り付けられている。
【００２４】
床面材３の表面は、凹凸面（若しくは粗面）であるとともに、主に白と黒を基調とした大理石模様になっている。
【００２５】
断熱材４は、厚みを有する板状の硬質発泡体であり、収容体２１における第１区画２１ａに収容されている。
【００２６】
断熱材４は、天板部２２の大半の領域に対応する大きさになっていて、その外周部分の上面が天板部２２を下方から支持している。尚、断熱材４の具体的な商品として、清水化学工業株式会社製の「ゼットロン（登録商標）」が挙げられる。
【００２７】
発熱シート５は、天板部２２の下面を覆うように天板部２２と断熱材４との間に位置しており、矩形板状のシート材５１と、該シート材５１の内部に蛇行しながら延びるように張り巡らされたカーボン発熱線５２とを備えている。
【００２８】
シート材５１は、図３に示すように、その上面が断熱材４の外周部分の上面と面一となるように断熱材４に埋設されている。すなわち、シート材５１は、その上面を除く全領域が断熱材４で覆われている。
【００２９】
制御系６は、図２に示すように、収容体２１における第３区画２１ｃに収容され、押下式の電源ボタン６１ａを有する電源基板６１と、配線８を介してカーボン発熱線５２に接続された制御基板６２と、複数の操作ボタンが設けられた操作盤６３と、現在温度及び設定温度をそれぞれ液晶表示可能な表示器６４とを有している。
【００３０】
制御基板６２は、電源ボタン６１ａを押下することにより起動させるようになっていて、カーボン発熱線５２に流す電流を変化させることにより発熱シート５の温度を調節するようになっている。
【００３１】
操作盤６３は、使用者による各操作ボタンの押下操作によって、制御基板６２に予め登録された設定温度を所定範囲内で変更できるようになっている。
【００３２】
表示器６４は、制御基板６２の長手方向一端寄りの上面に設けられており、現在温度を表示する第１表示部６４ａと、設定温度を表示する第２表示部６４ｂとを有している。
【００３３】
電源コード７は、一端が制御基板６２に接続される一方、他端に差込プラグ７ａが取り付けられている。
【００３４】
電源コード７は、収容体２１における第３区画２１ｃから第２区画２１ｂの一端に入り込むとともに本体ケース２の幅方向に延びて第２区画２１ｂの他端から本体ケース２の外側に延びていて、折り畳むことにより第２区画２１ｂに押し込んで収容できるようになっている。
【００３５】
次に、床暖房ユニット１の使用方法及び動作を説明する。
【００３６】
使用者は、床暖房ユニット１を使用する場合、床暖房ユニット１をフロア等に置いて電源ボタン６１ａを押下する。
【００３７】
次いで、使用者は、操作盤６３における各操作ボタンを操作して所望の設定温度に設定する。すると、カーボン発熱線５２が設定された設定温度に応じた温度になるまで制御基板６２がカーボン発熱線５２に電流を流す制御を行う。
【００３８】
使用者は、現在の温度を変更したい場合には、必要に応じて表示器６４の第２表示部６４ｂを確認しながら操作盤６３の操作ボタンを操作して設定温度を変更する。
【００３９】
ここで、制御基板６２から電流が供給されるカーボン発熱線５２は、ＰＴＣヒーターと比較して短時間で温度が上昇するため、使用者が電源ボタン６１ａを押下すると、従来のＰＴＣヒーターを用いた床暖房ユニットと比較して熱源近傍の温度が速やかに上昇する。
【００４０】
また、床暖房ユニット１は、断熱材４、発熱シート５、天板部２２及び床面材３の順に底部から配置された構成となっており、さらには、天板部２２がアルミニウム材で形成されているので、発熱シート５の熱が当該発熱シート５の下方及び四方に配置された断熱材４の断熱作用によって上方に配置された天板部２２に効率よく伝わるとともにアルミニウム材の高い熱伝導率によって天板部２２の内部を速やかに移動して拡散した後、当該天板部２２の上方に位置する床面材３へと到達するようになる。
【００４１】
すなわち、床暖房ユニット１は、従来の床暖房ユニットよりも熱源近傍の温度が速やかに上昇することに加え、床面材３がその下面全体から効率的に温められるようになるので、床暖房ユニット１全体を速く温めることができる。
【００４２】
また、床暖房ユニット１は、熱源としてＰＴＣヒーターよりも安価なカーボン発熱線５２を用いているため、従来のＰＴＣヒーターを用いた床暖房ユニットよりも製造原価を抑えやすい。その結果、床暖房ユニット１は、従来の床暖房ユニットよりも低コストで導入することができる。
【００４３】
また、床面材３の表面が凹凸面（若しくは粗面）になっていて滑り難いので、床面材３表面に載せる使用者の足や敷物が床面材３に対して位置ずれしにくくなり、使用感の良い床暖房ユニット１にすることができる。
【００４４】
さらに、床面材３の表面には、大理石模様が施されているので、外観に天然素材感や高級感がでるようになり、床暖房ユニット１全体の意匠性を高めることができる。
【００４５】
尚、本実施形態では、本体ケース２の全体をアルミニウム材により構成したが、天板部２２のみをアルミニウム材で構成してもよい。
【００４６】
また、本体ケース２を構成するアルミニウム材は、純アルミニウム材のみならず、例えば、銅やマンガンを混ぜて強度を高めたアルミニウム合金材からなるものであってもよい。
【００４７】
また、本実施形態では、断熱材４としてゼットロン（登録商標，積水化学工業株式会社製）を用いているが、これに限らず、断熱性が高められる素材であればその他のものを断熱材４として用いることができる。
【００４８】
また、本実施形態では、床面材３をベニヤ材で構成しているが、これに限らず、耐熱性を有する樹脂等で床面材３を構成してもよい。
【００４９】
また、本実施形態のカーボン発熱線５２は、炭素繊維を用いたものであればよく、例えば公知のカーボンヒーターを適用してもよい。
【産業上の利用可能性】
【００５０】
本考案は、フロア又は地面に載置可能に構成され、使用者が載せる足を加温可能な床暖房ユニットに適している。
【符号の説明】
【００５１】
１        床暖房ユニット
２        本体ケース
２２      天板部
３        床面材
４        断熱材
５        発熱シート
５２      カーボン発熱線
６２      制御基板
６３      操作盤
【図１】
0003231712.tif 000003
【図２】
0003231712.tif 000004
【図３】
0003231712.tif 000005